(57)【要約】  本発明はショートメッセージサービスの実現方法を開示している。当該方法は、加入者が自体に対応するショートメッセージフィルタリングルールをネットワーク側に設定するステップと、ネットワーク側から受信側にショートメッセージを送信する前に、ネットワーク側が、受信側のショートメッセージフィルタリングルールに従って当該ショートメッセージをフィルタリングする必要があるかを判断して、必要な場合、当該ショートメッセージを送信せず、必要がない場合、受信側に当該ショートメッセージを送信するステップとを含む。本発明におけるフィルタリング方式は、事業者がネットワークで当該サービスを配置かつ展開することに便利になり、また各加入者個別のニーズに応じて、ショートメッセージをフィルタリングすることができて、加入者のサービス満足度を高めている。
2008507867.tif 000002
【特許請求の範囲】
【請求項１】
ショートメッセージサービスの実現方法であって、
ショートメッセージフィルタリングルールをネットワーク側に設定するステップと、
ネットワーク側から受信側にショートメッセージを送信する前に、ネットワーク側が、受信側のショートメッセージフィルタリングルールに従って当該ショートメッセージをフィルタリングする必要があるかどうかを判断して、必要な場合、当該ショートメッセージを送信せず、必要がない場合、受信側に当該ショートメッセージを送信するステップとを含むことを特徴とするショートメッセージサービスの実現方法。
【請求項２】
前記受信側に対応するショートメッセージフィルタリングルールにより、ショートメッセージをフィルタリングした後、ショートメッセージセンター又はショートメッセージゲートウェイから送信側に送信禁止の応答を送信するステップを更に含むことを特徴とする請求項1に記載のショートメッセージサービスの実現方法。
【請求項３】
前記ショートメッセージフィルタリングルールの設定は、ネットワークウェブ方式、無線アプリケーションプロトコル（ＷＡＰ）方式、非構造付加サービス・データ（ＵＳＳＤ）方式、事業者クライアントセンター方式又はインテリジェントネットワーク方式によって実現されることを特徴とする請求項1に記載のショートメッセージサービスの実現方法。
【請求項４】
前記ショートメッセージフィルタリングルールは、ショートメッセージセンター又はショートメッセージゲートウェイ、又はショートメッセージフィルタリングルールサーバ、又はサービス制御点（ＳＣＰ）に設定されることを特徴とする請求項1に記載のショートメッセージサービスの実現方法。
【請求項５】
ショートメッセージフィルタリングルールがショートメッセージフィルタリングルールサーバに設定され、
前記受信側のショートメッセージフィルタリングルールにより、当該ショートメッセージをフィルタリングする必要があるかどうかを判断する前に、
ネットワーク側のショートメッセージセンター又はショートメッセージゲートウェイが当該ショートメッセージフィルタリングルールサーバに、受信側加入者識別子を含むショートメッセージフィルタリングルール要求を送信することによって、受信側のショートメッセージフィルタリングルールを得ることを特徴とする請求項4に記載のショートメッセージサービスの実現方法。
【請求項６】
前記ショートメッセージフィルタリングルールは、送信側番号、又は/及びショートメッセージ内容の禁止ルールを含むことを特徴とする請求項4に記載のショートメッセージサービスの実現方法。
【請求項７】
前記ショートメッセージフィルタリングルールサーバは、独立又は非独立の物理デバイスであり、
前記非独立の物理デバイスであるショートメッセージフィルタリングルールサーバは、ネットワーク側の任意の物理エンティティの一部分の機能とされることを特徴とする請求項1に記載のショートメッセージサービスの実現方法。
【請求項８】
ショートメッセージフィルタリングルールがSCPに設定され、
前記受信側のショートメッセージフィルタリングルールにより、当該ショートメッセージをフィルタリングする必要があるかどうかを判断することは、
送信側番号と受信側番号を含むショートメッセージセンターからのショートメッセージが受信された後、モバイルスイッチングセンター（ＭＳＣ）又はサービスGPRSサポートノード（ＳＧＳＮ）に保存されている加入者CAMEL契約情報により、受信側が移動端末側着信のショートメッセージ（Mobile Terminated Short Message）の契約加入者であるかどうかを判断して、受信側が移動端末側着信のショートメッセージの契約加入者でない場合、本プロセスを終了し、受信側が移動端末側着信のショートメッセージの契約加入者である場合、ショートメッセージの送信側と受信側の加入者番号を含む、ショートメッセージ受信の関連イベント通知をSCPに送信するステップと、
SCPに保存されている、前記受信側に対応するショートメッセージフィルタリングルールにより、当該ショートメッセージをフィルタリングする必要があるかどうかを判断して、必要な場合、解放コマンドを出して、MSC又はSGSNによりショートメッセージの送信プロセスが終了され、必要がない場合、継続のコマンドを出して、MSC又はSGSNにより正常なショートメッセージ送信プロセスが継続されるステップとを含むことを特徴とする請求項4に記載のショートメッセージサービスの実現方法。
【請求項９】
前記ショートメッセージ受信の関連イベント通知をSCPに送信することは、加入者のMT-SMS-CSI契約情報に基づいて、Int_DP_SMS_Delivery_RequestメッセージをSCPに送信することを含むことを特徴とする請求項8に記載のショートメッセージサービスの実現方法。
【請求項１０】
前記解放コマンドは、Int_Release_SMSコマンドであり、前記継続のコマンドは、Int_Continue_SMSコマンドであることを特徴とする請求項8に記載のショートメッセージサービスの実現方法。
【請求項１１】
ショートメッセージの送信結果に基づいて、ショートメッセージセンターにMAP-MT-FORWARD-SHORT-MESSAGE応答を返信して、ショートメッセージの送信成功又は失敗を通知するステップと、
ショートメッセージセンターがショートメッセージの成功又は失敗の応答に基づいて、当該ショートメッセージの保存又は削除を決めるステップとを更に含むことを特徴とする請求項8に記載のショートメッセージサービスの実現方法。
【発明の詳細な説明】
【技術分野】
【０００１】
本発明は移動通信技術分野に関し、特にショートメッセージサービスの実現方法に関する。
【背景技術】
【０００２】
ここ数年来、移動通信の発展に従って、モバイル付加価値サービス（value-added mobile services）、特にショートメッセージサービスが世界中で巨大な発展を遂げてきた。その一方で、違法及び迷惑ショートメッセージが日に日に運営側と加入者側の関心をひく問題となっている。違法及び迷惑ショートメッセージの出所として、ある組織の違法な言論、ウェブサイトの大量の広告などが含まれる。加入者自身にとっては、受信したくないショートメッセージは迷惑ショートメッセージに属する。
【０００３】
インターネット（Internet）上の迷惑メールと同様に、目下、迷惑ショートメッセージが日に日に広がっていることは、加入者に大きい悩みをもたらすだけではなく、大量の移動通信ネットワーク資源も消耗していて、加入者の正常な通信にも一定の影響を与える。例えば、迷惑ショートメッセージにより、ネットワークの輻輳（congestion）又は機能停止（breakdown）が引き起こされる可能性がある。そのため、違法及び迷惑ショートメッセージの拡散を防ぐことは、クライアントのサービス満足度を高めることができるだけでなく、ネットワークサービスの発展にも有利であって、移動事業者にとって、目下重点的に解決することが必要な問題となっている。
【０００４】
現在、違法及び迷惑ショートメッセージに対して、一部の国の事業者は既にいくつかの制御手段を取っている。これらの制御手段は主にショートメッセージの内容に対してフィルタリング（filtering）を行う方式により実現され、ショートメッセージセンター又はショートメッセージゲートウェイにて、フィルタリングする必要のある情報に対してコンテンツマッチングを行うことによって、移動通信事業者のために不健全又は違法のショートメッセージをフィルタリングして、コンテンツプロバイダーと携帯電話からのショートメッセージ内容の健全性と合法性を確保し、これによって加入者の利益を保護している。
【０００５】
現在のショートメッセージのフィルタリングメカニズムは、主にショートメッセージ内の違法又は機密の内容に対してフィルタリングを行うこと、或いはメッセージ送信側の合法性に対して判断を行い、例えば、あるウェブサイトが合法的に登録されているかどうかに対して判断を行って、メッセージのフィルタリングを統一的に行うことである。このようなフィルタリングメカニズムは、各加入者個別のニーズを考慮していない。常に、異なる加入者は異なるメッセージ送信側からのメッセージをフィルタリングする場合がある。例えば、加入者Aは、ウェブサイトAと加入者Cからのショートメッセージをフィルタリングすることを希望し、加入者Bは、ウェブサイトAと全ての移動加入者からのショートメッセージだけを受信し、他の全てのウェブサイトからのショートメッセージをフィルタリングすることを希望する。同時に、異なる加入者は異なる内容のメッセージをフィルタリングすることを希望する。例えば、加入者Aは“大プレゼント”の内容を含む全てのショートメッセージをフィルタリングすることを希望し、加入者Bは“広告”の内容を含む全てのショートメッセージをフィルタリングすることを希望する。
【発明の開示】
【発明が解決しようとする課題】
【０００６】
本発明は上記に鑑みてなされたものであって、各加入者個別のニーズを満足できるように加入者が当該加入者自身の意志に従ってショートメッセージをフィルタリングすることができる、ショートメッセージサービスの実現方法を提供することを目的とする。
【課題を解決するための手段】
【０００７】
上記目的を達成するため、本発明はショートメッセージサービスの実現方法を提供し、当該方法は以下の内容を含む。
【０００８】
ショートメッセージサービスの実現方法であって、
ショートメッセージフィルタリングルールをネットワーク側に設定するステップと、
ネットワーク側から受信側にショートメッセージを送信する前に、ネットワーク側が、受信側のショートメッセージフィルタリングルールに従って当該ショートメッセージをフィルタリングする必要があるかどうかを判断して、必要な場合、当該ショートメッセージを送信せず、必要がない場合、受信側に当該ショートメッセージを送信するステップとを含む。
【０００９】
前記受信側に対応するショートメッセージフィルタリングルールにより、ショートメッセージをフィルタリングした後、ショートメッセージセンター又はショートメッセージゲートウェイから送信側に送信禁止の応答を送信するステップを更に含む。
【００１０】
前記ショートメッセージフィルタリングルールの設定は、ネットワークウェブ方式、無線アプリケーションプロトコル（ＷＡＰ）方式、非構造付加サービス・データ（ＵＳＳＤ）方式、事業者クライアントセンター方式又はインテリジェントネットワーク方式によって実現される。
【００１１】
前記ショートメッセージフィルタリングルールは、ショートメッセージセンター又はショートメッセージゲートウェイ、又はショートメッセージフィルタリングルールサーバ、又はサービス制御点（ＳＣＰ）に設定される。
【００１２】
ショートメッセージフィルタリングルールがショートメッセージフィルタリングルールサーバに設定され、
前記受信側のショートメッセージフィルタリングルールにより、当該ショートメッセージをフィルタリングする必要があるかどうかを判断する前に、
ネットワーク側のショートメッセージセンター又はショートメッセージゲートウェイが当該ショートメッセージフィルタリングルールサーバに、受信側加入者識別子を含むショートメッセージフィルタリングルール要求を送信することによって、受信側のショートメッセージフィルタリングルールを得る。
【００１３】
前記ショートメッセージフィルタリングルールは、送信側番号、又は/及びショートメッセージ内容の禁止ルールを含む。
【００１４】
前記ショートメッセージフィルタリングルールサーバは、独立又は非独立の物理デバイスであり、
前記非独立の物理デバイスであるショートメッセージフィルタリングルールサーバは、ネットワーク側の任意の物理エンティティの一部分の機能とされる。
【００１５】
ショートメッセージフィルタリングルールがSCPに設定され、
前記受信側のショートメッセージフィルタリングルールにより、当該ショートメッセージをフィルタリングする必要があるかどうかを判断することは、
送信側番号と受信側番号を含むショートメッセージセンターからのショートメッセージが受信された後、モバイルスイッチングセンター（ＭＳＣ）又はサービスGPRSサポートノード（ＳＧＳＮ）に保存されている加入者CAMEL契約情報により、受信側が移動端末側着信（移動終止）のショートメッセージ（Mobile Terminated Short Message）の契約加入者であるかどうかを判断して、受信側が移動端末側着信のショートメッセージの契約加入者でない場合、本プロセスを終了し、受信側が移動端末側着信のショートメッセージの契約加入者である場合、ショートメッセージの送信側と受信側の加入者番号を含む、ショートメッセージ受信の関連イベント通知をSCPに送信するステップと、
SCPに保存されている、前記受信側に対応するショートメッセージフィルタリングルールにより、当該ショートメッセージをフィルタリングする必要があるかどうかを判断して、必要な場合、解放コマンドを出して、MSC又はSGSNによりショートメッセージの送信プロセスが終了され、必要がない場合、継続のコマンドを出して、MSC又はSGSNにより正常なショートメッセージ送信プロセスが継続されるステップとを含む。
【００１６】
前記ショートメッセージ受信の関連イベント通知をSCPに送信することは、加入者のMT-SMS-CSI契約情報に基づいて、Int_DP_SMS_Delivery_RequestメッセージをSCPに送信することを含む。
【００１７】
前記解放コマンドは、Int_Release_SMSコマンドであり、前記継続のコマンドは、Int_Continue_SMSコマンドである。
【００１８】
ショートメッセージの送信結果に基づいて、ショートメッセージセンターにMAP-MT-FORWARD-SHORT-MESSAGE応答を返信して、ショートメッセージの送信成功又は失敗を通知するステップと、
ショートメッセージセンターがショートメッセージの成功又は失敗の応答に基づいて、当該ショートメッセージの保存又は削除を決めるステップとを更に含む。
【発明の効果】
【００１９】
本発明の方法では、加入者がネットワーク側でショートメッセージフィルタリングルールを自分で定義することができ、ネットワーク側が受信側にショートメッセージを送信する前に、受信側のショートメッセージフィルタリングルールに基づいて、ショートメッセージをフィルタリングすることができることにより、ショートメッセージサービスを実現している。本発明における方法はただ従来のネットワークに、ショートメッセージフィルタリングルールサーバの独立デバイス又は相応の機能を追加する必要だけであり、他のネットワークエンティティ、例えば、MSC、SGSNなどに対する影響はない。このような方式でショートメッセージのフィルタリングを実現することは、事業者がネットワーク内で当該サービスを配置かつ展開することに便利であり、各加入者個別のニーズに従って、ショートメッセージをフィルタリングし、加入者のサービス満足度を高めている。
【発明を実施するための最良の形態】
【００２０】
本発明において、加入者は自体に対応するショートメッセージフィルタリングルールをネットワーク側に設定し、ネットワーク側は受信側にショートメッセージを送信する前に、受信側のショートメッセージフィルタリングルールに基づいて、当該ショートメッセージをフィルタリングする必要があるかどうかを判断して、必要な場合、ネットワーク側は当該ショートメッセージを送信せず、必要がない場合、ネットワーク側は受信側に当該ショートメッセージを送信することである。
【００２１】
図1に示すように、本発明を実現するプロセスは以下の通りである。
【００２２】
ステップ101で、加入者はネットワーク側に自体に対応するショートメッセージフィルタリングルールを設定する。
【００２３】
ショートメッセージフィルタリングルールはショートメッセージフィルタリングルールサーバ、或いはSCPに設定されることができる。ショートメッセージフィルタリングルールサーバは独立の物理エンティティであることができ、又は非独立の物理エンティティとして単独に存在することもできる。且つ、加入者はネットワーク（ウェブ）方式、無線アプリケーションプロトコル（WAP）方式、非構造付加サービス・データ（USSD）方式、事業者クライアントセンター方式又はインテリジェントネットワーク方式などによって、ネットワーク側にショートメッセージフィルタリングルールを設定することができる。
【００２４】
そして、実際の応用プロセス中で、各加入者は全て、上記各種の方式によって、自体に対応するショートメッセージフィルタリングルールをネットワーク側に設定、更新又は修正することができる。
【００２５】
ステップ102で、ネットワーク側から受信側にショートメッセージを送信する前に、ネットワーク側は受信側のショートメッセージフィルタリングルールに基づいて、当該ショートメッセージをフィルタリングする必要があるかどうかを判断して、必要な場合、ステップ104に進み、必要がない場合、ステップ103に進む。
【００２６】
ステップ103で、ネットワークから受信側に当該ショートメッセージを送信する。
【００２７】
ステップ104で、ネットワーク側は当該ショートメッセージをフィルタリングし、即ち、当該ショートメッセージを送信しない。
【００２８】
以下、ショートメッセージフィルタリングルールをショートメッセージフィルタリングルールサーバに設定して、ショートメッセージサービスを実現する方法を実施例１とし、ショートメッセージフィルタリングルールをSCPに設定することを実施例２として、本発明の技術方案を詳しく説明する。
【００２９】
次は具体的な実施例１をあげて、本発明の技術方案を詳しく説明する。
【実施例１】
【００３０】
本実施例では、移動加入者のカスタマイズしたショートメッセージのフィルタリング機能をショートメッセージセンター又はショートメッセージゲートウェイにより実現していて、従来のネットワークにショートメッセージフィルタリングルールサーバの物理エンティティ、又は機能モジュールを追加し、ショートメッセージセンター又はショートメッセージゲートウェイの機能を拡張することだけが必要であり、他の全てのネットワークエンティティ、例えばMSC、SGSNなどに対しては何の影響もない。
【００３１】
本実施例におけるショートメッセージフィルタリングルールは、指定の相手からのショートメッセージに対してフィルタリングを行い、又は特定の内容を含むショートメッセージに対してフィルタリングを行うことである。加入者は多種の方式によってショートメッセージフィルタリングルールを自分で定義し、維持し、多種の方式によって、ショートメッセージフィルタリングルールサーバに伝送かつ保存することができる。
【００３２】
図2に示すように、本実施例において本発明の方法を実現するステップは以下の通りである。
【００３３】
ステップ201で、加入者は多種の方式によって、ショートメッセージフィルタリングルールを自分で定義し、維持する。
【００３４】
ステップ202で、ショートメッセージフィルタリングルールサーバに、加入者のカスタマイズしたショートメッセージフィルタリングルールと加入者識別子との対応関係を保存する。
【００３５】
ステップ203で、ショートメッセージセンター又はショートメッセージゲートウェイは受信側にショートメッセージを送信する前に、ショートメッセージフィルタリングルールサーバから、ショートメッセージ受信側のショートメッセージフィルタリングルールを得る。
【００３６】
ステップ204で、ショートメッセージセンター又はショートメッセージゲートウェイはショートメッセージ受信側のショートメッセージフィルタリングルールに基づいて、あるショートメッセージをフィルタリングするかどうかを判断して、フィルタリングするなら、ステップ205に進み、フィルタリングしない場合、ステップ206に進む。
【００３７】
ステップ205で、ショートメッセージセンター又はショートメッセージゲートウェイは当該ショートメッセージの送信を終了する。
【００３８】
ステップ206、ショートメッセージセンター又はショートメッセージゲートウェイからショートメッセージ受信側に当該ショートメッセージを送信し、プロセスを終了する。
【００３９】
本実施例におけるショートメッセージフィルタリングルールには下記二種類のタイプが含まれることができる。
【００４０】
タイプ１は、一部のショートメッセージ送信側からのショートメッセージに対して、禁止又は許可を行うルールであり、即ち、ショートメッセージ送信側を制限することである。このようなフィルタリングルールは長さ基準と番号基準を含み、これら二種類の基準は同時に実施可能である。長さ基準は、当該長さに符合する送信側番号に対して禁止又は許可を行うことであり、番号基準は、当該番号に符合する送信側番号に対して禁止又は許可を行うことである。
【００４１】
番号基準における番号に対して最大先頭番号のマッチング（最大数の先頭マッチング：A maximum number head matching mode）方式を使うことができる。番号基準での番号はワイルドカード（wildcard）を含むことができる。ここで二種類のワイルドカードがあり、即ち、単一番号のワイルドカードと複数番号のワイルドカードである。単一番号のワイルドカードとは当該ワイルドカードが一桁の番号だけを表すことであり、複数番号のワイルドカードとは当該ワイルドカードが任意の複数の番号を表すことである。
【００４２】
次に、ショートメッセージフィルタリングルールに対して例をあげて説明する。
【００４３】
長さ基準で、番号の長さ４、禁止；番号の長さ11、許可。詳しく説明すると、当該ルールは番号の長さが4である送信側を禁止し、番号の長さが11である送信側を許可することである。例えば、現在の付加価値サービスプロバイダーのショートメッセージ送信側の番号が４桁の長さ、例えば8888であり、普通の移動加入者の番号の長さが11であるとき、サービスプロバイダーから送信されるショートメッセージを禁止し、普通の移動加入者から送信されるショートメッセージを許可することである。
【００４４】
番号基準で、仮に*で単一ワイルドカードを表し、#で複数のワイルドカードを表すとし、133、禁止；13312312312、許可；133*11*23*3、許可；139#87、禁止。当該ルールは先頭番号が133である全ての加入者からのショートメッセージを禁止し、番号が13312312312である加入者からのショートメッセージを許可し、番号が133*11*23*3（*は任意の一桁の数字を表す）である全ての加入者からのショートメッセージを許可し、番号が139#87（#は任意の複数の数字を表す）である全ての加入者からのショートメッセージを禁止することである。
【００４５】
タイプ２は、一部の特定の内容を含むショートメッセージに禁止又は許可を行うルールである。このようなフィルタリングルールでの指定内容にはワイルドカードが含まれることができ、ワイルドカードは任意の複数の文字（character）を表す。例えば、広告、禁止；賞*プレゼント、禁止。これは“広告”または“賞*プレゼント”の内容を含むショートメッセージを禁止することを表す。
【００４６】
上記加入者がショートメッセージフィルタリングルールを自分で定義し、維持することは、多種の方式によって実現できる。例えば、
（１）ウェブ方式で、加入者はウェブを通じて、ショートメッセージフィルタリングルールをカスタマイズかつ維持し、コンピューター又は携帯電話によってみな操作できる。
（２）WAP方式で、加入者は携帯電話によって、WAPサーバに登録し、ショートメッセージフィルタリングルールをカスタマイズかつ維持する。
（３）USSD方式で、加入者は携帯電話を使って、USSDデータ方式によって、サーバと相互接続を行い、ショートメッセージフィルタリングルールをカスタマイズかつ維持する。
（４）事業者クライアントセンター方式で、加入者は事業者クライアントセンターと連絡し、音声又は他の方式によって、ショートメッセージフィルタリングルールをカスタマイズかつ維持する。
（５）インテリジェントネットワーク方式で、加入者はあるインテリジェントアクセス番号をダイヤルし、相応の音声提示により設定を行うことによって、ショートメッセージフィルタリングルールをカスタマイズかつ維持する。
【００４７】
もちろん、本実施例では、加入者がショートメッセージフィルタリングルールを自分で定義することに関する他の方式を制限しない。ショートメッセージフィルタリングルールを維持する方式には、ショートメッセージフィルタリングルールに対する修正、部分削除、全部削除、アクティブ、非アクティブ（deactivating）などの多種の操作が含まれるが、これらの操作に限らない。ショートメッセージフィルタリングルールを自分で定義し、維持することで具体的にどんな方式を採用するかについては、ここで制限せずに、事業者によって決められることができる。
【００４８】
ショートメッセージフィルタリングルールサーバはネットワークにおいて、独立の物理エンティティであることができ、他のサービスサーバ内の一つの機能モジュールとすることもできる。ネットワークにおいて、一つ又は複数のショートメッセージフィルタリングルールサーバを備えることができ、加入者のカスタマイズしたショートメッセージフィルタリングルールは、一定の分布規律により、あるショートメッセージフィルタリングルールサーバに保存されることができる。例えば、加入者識別子又は加入者のホームネットワークにより、どのサーバに保存するかを決定することである。ショートメッセージフィルタリングルールサーバのネットワーク形態又は選択ルールについては、本発明で制限せずに、事業者によって決められることができる。
【００４９】
且つ、ショートメッセージセンター又はショートメッセージゲートウェイはショートメッセージ受信側にショートメッセージを送信する前に、当該ショートメッセージ受信側のカスタマイズしたショートメッセージフィルタリングルールを得る必要がある。ショートメッセージフィルタリングルールがショートメッセージセンター又はショートメッセージゲートウェイに保存された場合、信号方式相互接続インターフェースを必要しない。ショートメッセージフィルタリングルールが、ショートメッセージフィルタリングルールサーバに保存された場合、ショートメッセージセンター又はショートメッセージゲートウェイとショートメッセージフィルタリングルールサーバの間では一定の信号方式相互接続を必要し、ショートメッセージセンター又はショートメッセージゲートウェイは一定の分布規律、例えば受信側の加入者識別子又は加入者のホームネットワークにより、あるショートメッセージフィルタリングルールサーバに要求を送信するかを決定し、これにより、ショートメッセージ受信側のショートメッセージフィルタリングルールを得る。
【００５０】
本実施例において、ショートメッセージセンター又はショートメッセージゲートウェイとショートメッセージフィルタリングルールサーバの間で、どのような信号方式インターフェースプロトコルを採用するか対しては具体的に規定せずに、事業者によって決められる。対応するプロセスは図3に示すように、具体的に以下の通りである。
【００５１】
ステップ301で、ショートメッセージセンター又はショートメッセージゲートウェイは一定の分布規律により、あるショートメッセージフィルタリングルールサーバを選択する。
【００５２】
ステップ302で、ショートメッセージセンター又はショートメッセージゲートウェイから当該ショートメッセージフィルタリングルールサーバに、ショートメッセージフィルタリングルールの要求を送信し、要求メッセージにはショートメッセージ受信側の加入者識別子が付けられている。
【００５３】
ステップ303で、要求されたショートメッセージフィルタリングルールはショートメッセージフィルタリングルールサーバからショートメッセージセンター又はショートメッセージゲートウェイに返信される。
【００５４】
もちろん、実際の操作プロセスにおいて、加入者のカスタマイズしたショートメッセージフィルタリングルールはそんなに完璧ではない可能性があり、このような状況では、ショートメッセージセンター又はショートメッセージゲートウェイに、ショートメッセージのデフォルト処理方式を静的に構成することができる。即ち、ショートメッセージセンター又はショートメッセージゲートウェイがショートメッセージフィルタリングルールサーバから、対応のショートメッセージフィルタリングルールを見つけなかった後、ショートメッセージフィルタリングルールの範囲に属さないこれらのショートメッセージに対して、禁止又は許可である二種類の処理方式が可能であり、事業者により実際の需要に応じて設定され、一般的には許可される。
【００５５】
例えば、加入者Aのカスタマイズしたショートメッセージフィルタリングルールは、加入者BとDからのショートメッセージを禁止し、内容に“広告”を含むメッセージを禁止することである。それでは、加入者Cからの、“広告”の内容を含まないショートメッセージに対しては、応用可能なフィルタリングルールがなく、ショートメッセージセンター又はショートメッセージゲートウェイでのデフォルト処理方式が許可である場合、当該ショートメッセージの送信が許可されることになる。
【００５６】
ショートメッセージセンター又はショートメッセージゲートウェイに禁止されるショートメッセージに対しては、ショートメッセージ受信側に送信しないようになり、事業者の実際の需要、例えば、課金、統計などの需要に基づいて、禁止されたショートメッセージに対して、ショートメッセージセンター又はショートメッセージゲートウェイが数量、時間、送信側などにより統計を行うことができ、またショートメッセージ送信側に提示を送って、当該ショートメッセージの送信が禁止されたことを表すことができる。
【００５７】
本実施例の方法を利用することにより、加入者がショートメッセージフィルタリングルールサーバに、ショートメッセージフィルタリングルールを定義することができ、ショートメッセージセンター又はショートメッセージゲートウェイを通じて、移動加入者のカスタマイズしたショートメッセージフィルタリングの機能を実現することができる。本発明の方法は、既存のネットワークにショートメッセージフィルタリングルールサーバの独立デバイス又は相応の機能を追加し、またショートメッセージセンター又はショートメッセージゲートウェイの機能を拡張することだけが必要であり、他の全てのネットワークエンティティ、例えばMSC、SGSNなどに対しては何の影響もない。このような方式でショートメッセージのフィルタリングを実現することは、事業者がネットワーク内で当該サービスを配置かつ展開することに便利になり、各加入者個別のニーズに応じて、ショートメッセージをフィルタリングし、加入者のサービス満足度を高めている。
【００５８】
次に、具体的な実施例２をあげて、本発明の技術方案を詳しく説明する。
【実施例２】
【００５９】
本実施例では、指定の送信側のショートメッセージに対するフィルタリングに関するショートメッセージフィルタリングルールを加入者によりSCPに設定する。ショートメッセージセンターからの送信側番号と受信側番号を含むショートメッセージが受信側の位置するMSC又はSGSNに受信された後、移動端末側着信のショートメッセージ（Mobile Terminated Short Message）の契約内容が受信側加入者のCAMEL（Customized Application for Mobile network Enhanced Logic）契約情報に含まれているかどうかをMSC又はSGSNにより判断する。含まれている場合、MSC又はSGSNからショートメッセージ受信の関連イベント通知をSCPに送信し、通知にはショートメッセージ送信側と受信側の加入者番号が含まれる。SCPは自体に保存されている、当該受信側に対応するショートメッセージフィルタリングルールに基づいて、当該ショートメッセージをフィルタリングする必要があるかどうかを判断する。必要な場合、SCPから解放コマンドを出し、MSC又はSGSNはショートメッセージの送信プロセスを終了し、必要がない場合、SCPから継続のコマンドを出し、MSC又はSGSNは正常なショートメッセージ送信プロセスを継続する。
【００６０】
本実施例におけるショートメッセージフィルタリングルールは、指定の相手からのショートメッセージに対してフィルタリングを行うことであり、ショートメッセージの内容に対してフィルタリングを行うことは含まない。且つ、本発明ではCAMELにより、加入者のカスタマイズしたショートメッセージフィルタリングを実現している。従って、ショートメッセージフィルタリングサービスを申し込む加入者はまずCAMEL加入者である必要がある。即ち、移動端末側着信のショートメッセージのCAMEL契約情報（MT-SMS-CSI）を有する必要がある。
【００６１】
図4は本発明に係るショートメッセージサービスを実現する実施例２のフローチャートである。図4に示すように、本実施例においてショートメッセージサービスを実現する具体的なステップは以下の通りである。
【００６２】
ステップ401で、加入者は多種の方式によって、ショートメッセージフィルタリングルールを自分で定義し、維持する。
【００６３】
ステップ402で、加入者のカスタマイズしたショートメッセージフィルタリングルールは多種の方式によってSCPに伝送され、SCPに保存される。
【００６４】
ステップ403で、ショートメッセージセンターからショートメッセージをMSC又はSGSNまでに送信し、MSC又はSGSNは加入者CAMEL契約情報に基づいて、インテリジェントサービスをトリガーする必要があるかどうかを判断して、必要な場合、ステップ404に進み、必要がない場合、もとのショートメッセージプロセスに従って処理し、本プロセスを終了する。ここで、ショートメッセージフィルタリングにとって、インテリジェントサービスをトリガーする必要があるかどうかの判断は、主に移動端末側着信のショートメッセージ（Mobile Terminated Short Message）の契約内容を有するかどうかによって決定される。
【００６５】
ステップ404で、MSC又はSGSNからSCPに、ショートメッセージ受信の関連イベント通知を送信し、SCPの指示を待つ。当該イベント通知にはショートメッセージ送信側と受信側の加入者識別子が含まれる。
【００６６】
ステップ405で、SCPは保存されている、ショートメッセージ受信側に対応するショートメッセージフィルタリングルールに基づいて、当該ショートメッセージをフィルタリングする必要があるかどうかを判断して、必要な場合、SCPからMSC又はSGSNに解放コマンドを出し、MSC又はSGSNはショートメッセージの送信プロセスを終了し、必要がない場合、SCPからMSC又はSGSNに継続送信のコマンドを出し、MSC又はSGSNは正常なショートメッセージ送信プロセスを継続する。
【００６７】
ステップ406で、MSC又はSGSNはSCPからの継続送信又は解放コマンドにより、加入者にショートメッセージを送信すること、又は加入者へのショートメッセージの送信を終了することを実行し、そしてショートメッセージセンターにショートメッセージの送信成功又は失敗の応答を送信する。
【００６８】
ステップ407で、ショートメッセージセンターはMSC又はSGSNからの成功又は失敗の応答に基づいて、当該ショートメッセージの保存又は削除を決めた後、本プロセスを終了する。
【００６９】
本実施例におけるショートメッセージフィルタリングルールには、実施例１の場合と同様に、長さ基準と番号基準が含まれ、これらは同時に実施可能である。
【００７０】
加入者がショートメッセージフィルタリングルールを自分で定義し、維持することは、多種の方式によって実現できる。例えば、
（１）ウェブ方式で、加入者はウェブを通じて、ショートメッセージフィルタリングルールをカスタマイズかつ維持し、コンピューター又は携帯電話によってみな操作できる。（２）WAP方式で、加入者は携帯電話によって、WAPサーバに登録し、ショートメッセージフィルタリングルールをカスタマイズかつ維持する。（３）USSD方式で、加入者は携帯電話を使って、USSDデータ方式によって、サーバと相互接続を行い、ショートメッセージフィルタリングルールをカスタマイズかつ維持する。（４）事業者クライアントセンター方式で、加入者は事業者クライアントセンターと連絡し、音声又は他の方式によって、ショートメッセージフィルタリングルールをカスタマイズかつ維持する。（５）インテリジェントネットワーク方式で、加入者はあるインテリジェントアクセス番号をダイヤルし、相応の音声指示により設定を行うことによって、ショートメッセージフィルタリングルールをカスタマイズかつ維持する。
【００７１】
これに対応して、SCPが加入者のカスタマイズしたショートメッセージフィルタリングルールを得ることでも、多種の方式がある。例えば、ウェブサーバ又はWAPサーバがSCPと通信を行って、速やかに、加入者のカスタマイズしたショートメッセージフィルタリングルールを主動的にSCPに送信すること、事業者クライアントセンターがSCPと通信して、速やかに、加入者のカスタマイズしたショートメッセージフィルタリングルールをアップロードすること、加入者がSCPと直接に相互接続して、ショートメッセージフィルタリングルールをカスタマイズかつ維持することなどである。
【００７２】
もちろん、ここでは、加入者がショートメッセージフィルタリングルールを自分で定義する方式、及びSCPが加入者のカスタマイズしたショートメッセージフィルタリングルールを得る方式に対して、制限しない。且つ、ショートメッセージフィルタリングルールの維持方式に、ショートメッセージフィルタリングルールに対する修正、部分削除、全部削除、アクティブ、アクティブ取り消しなど多種の操作が含まれるが、これらの操作とは限らない。ショートメッセージフィルタリングルールを自分で定義し、維持すること、及びSCPが加入者のカスタマイズしたショートメッセージフィルタリングルールを得ることで具体的にどんな方式を採用するかに対しては、事業者が自分で決めることができる。
【００７３】
図5は実施例２のショートメッセージフィルタリング実現のメッセージプロセスにおいて、MSC又はSGSNと、SCPと、ショートメッセージセンター（SMSC）との三つのエンティティ間の相互接続を示すフローチャートであり、ステップは以下の通りである。
【００７４】
ステップ501で、ショートメッセージセンター（SMSC）からMSC又はSGSNにMAP-MT-FORWARD-SHORT-MESSAGE要求を送信し、その中には、受信者識別子と送信者識別子の付けられたショートメッセージが含まれる。
【００７５】
ステップ502で、MSC又はSGSNは加入者CAMEL契約情報でのMT-SMS-CSI契約内容により、受信側が移動端末側着信のショートメッセージ（Mobile Terminated Short Message）の契約加入者であるかどうかを判断して、契約加入者である場合、SCPにショートメッセージの伝送要求（Int_DP_SMS_Delivery_Request）メッセージを送信し、このメッセージには受信者識別子と送信者識別子が含まれ、そしてSCPのコマンドを待つ。
【００７６】
ステップ503で、SCPはショートメッセージの受信加入者のカスタマイズしたショートメッセージフィルタリングルールにより分析を行い、当該メッセージに対してフィルタリングを行う必要があるかどうかを判断し、それから判断結果に基づいて、ショートメッセージの継続送信コマンド（Int_Continue_SMS）とショートメッセージの解放コマンド（Int_Release_SMS）をMSC又はSGSNに出す。
【００７７】
ステップ504で、MSC又はSGSNがSCPのコマンドに従って、ショートメッセージを送信、又はショートメッセージの送信を終了し、実際のショートメッセージ送信結果に基づいて、SMSCにMAP-MT-FORWARD-SHORT-MESSAGE応答を返信して、ショートメッセージの送信成功又は失敗を通知する。
【００７８】
ステップ503において、ショートメッセージの送信を継続するようにSCPにより指示されたら、MSC又はSGSNは実際の送信結果に基づいて、送信成功又は失敗の応答をショートメッセージセンターに返信する。ショートメッセージを解放するようにSCPによりコマンドされたら、MSC又はSGSNは当該コマンドを受信した後、当該ショートメッセージ送信プロセスを終了し、そして送信終了の応答をショートメッセージセンターに返信する。
【００７９】
ここで、送信終了の応答はショートメッセージ送信失敗応答の送信によって実現されることができる。即ち、失敗応答で、加入者エラー（User error）を適当なパラメータ値、例えば、ショートメッセージの伝送失敗（SM Delivery Failure）又は他の値に設定することである。ショートメッセージセンターは当該ショートメッセージを受信した後、当該ショートメッセージを削除する。ショートメッセージセンターがショートメッセージ送信失敗応答を受信した後、当該ショートメッセージを削除することができず、再度送信を選択する場合、当該ショートメッセージがMSC又はSGSNに再び受信された後、MSC又はSGSNは直接ショートメッセージの送信プロセスを終了し、ショートメッセージ送信成功の応答をショートメッセージセンターに送信し、これにより、ショートメッセージセンターにて当該ショートメッセージを再度送信しないようにする。MSC又はSGSNが事前に、ショートメッセージセンターがショートメッセージ送信失敗の応答を受信した後で当該ショートメッセージに対して削除することができないことを知っている場合、MSC又はSGSNはSCPからの解放コマンドを受信した後、ショートメッセージの送信を終了し、ショートメッセージセンターにショートメッセージ送信成功の応答を送信する。もちろん、MSC又はSGSNがフィルタリングショートメッセージに対する具体的な処理は、ショートメッセージセンターの能力に応じて、柔軟に選択できる。本実施例において、各ネットワークエンティティの間では、全て、移動アプリケーションプロトコル（MAP）とCAMELアプリケーションプロトコル（CAP）などを含む標準的移動ネットワークインターフェースプロトコルによって、特定ショートメッセージ送信側のショートメッセージに対するフィルタリングを実現できる。もちろん、ネットワークの配置において、ショートメッセージセンターがMSC又はSGSNとのインターフェースを直接に提供していない可能性がある。即ち、ショートメッセージセンターとMSC又はSGSNの間では、ショートメッセージインターワーキングMSC(即ちIW-MSC)経由で、接続されている可能性がある。従って、本発明におけるショートメッセージセンターは、ショートメッセージインターワーキングMSCであることもできる。
【００８０】
本実施例の方法を利用することにより、加入者が、指定の送信側からのショートメッセージに対するフィルタリングのショートメッセージフィルタリングルールを設定でき、設定したショートメッセージフィルタリングルールをサービス制御点（ＳＣＰ）に保存することができ、移動インテリジェントネットワークにて移動加入者のカスタマイズしたショートメッセージフィルタリング機能を実現できる。且つ、各ネットワークエンティティの間では、全て標準的移動ネットワークインターフェースプロトコルにより、特定ショートメッセージ送信側からのショートメッセージに対するフィルタリングを実現できる。このような従来の標準化インターフェースプロトコルを利用して、ショートメッセージのフィルタを実現することは、事業者がネットワークに当該サービスを配置かつ展開することに便利になり、加入者のサービスの満足度を高め、且つ簡単に実現できる。
【００８１】
要するに、以上述べたのは本発明の好ましい実施例に過ぎず、本発明の保護範囲を限定するものではない。
【図面の簡単な説明】
【００８２】
【図１】本発明に係る実現方法のフローチャートである。
【図２】本発明に係るショートメッセージサービスを実現する実施例１のフローチャートである。
【図３】本発明において、ショートメッセージセンター又はショートメッセージゲートウェイとショートメッセージフィルタリングルールサーバ間相互接続のフローチャートである。
【図４】本発明において、ショートメッセージサービスを実現する具体的な実施例２のフローチャートである。
【図５】本発明において、実施例２におけるショートメッセージフィルタリングの実現プロセスで、MSC又はSGSNと、SCPと、SMSCとの三つのエンティティ間相互接続のフローチャートである。
【図１】
2008507867.tif 000003
【図２】
2008507867.tif 000004
【図３】
2008507867.tif 000005
【図４】
2008507867.tif 000006
【図５】
2008507867.tif 000007
【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
ショートメッセージサービスの実現方法であって、
ショートメッセージフィルタリングルールをネットワーク側に設定するステップと、
ネットワーク側から受信側にショートメッセージを送信する前に、ネットワーク側が、受信側のショートメッセージフィルタリングルールに従って当該ショートメッセージをフィルタリングする必要があるかどうかを判断して、必要な場合、当該ショートメッセージを送信せず、必要がない場合、受信側に当該ショートメッセージを送信するステップとを含むことを特徴とするショートメッセージサービスの実現方法。
【請求項２】
前記ショートメッセージフィルタリングルールの設定は、ネットワークウェブ方式、無線アプリケーションプロトコル（ＷＡＰ）方式、非構造付加サービス・データ（ＵＳＳＤ）方式、事業者クライアントセンター方式又はインテリジェントネットワーク方式によって実現されることを特徴とする請求項1に記載のショートメッセージサービスの実現方法。
【請求項３】
前記ショートメッセージフィルタリングルールは、送信側番号、又は/及びショートメッセージ内容の禁止ルールを含むことを特徴とする請求項1に記載のショートメッセージサービスの実現方法。
【請求項４】
前記ショートメッセージフィルタリングルールは、ショートメッセージセンター又はショートメッセージゲートウェイ、又はショートメッセージフィルタリングルールサーバ、又はサービス制御点（ＳＣＰ）に設定されることを特徴とする請求項1に記載のショートメッセージサービスの実現方法。
【請求項５】
ショートメッセージフィルタリングルールがショートメッセージフィルタリングルールサーバに設定され、
前記受信側のショートメッセージフィルタリングルールにより、当該ショートメッセージをフィルタリングする必要があるかどうかを判断する前に、
ネットワーク側のショートメッセージセンター又はショートメッセージゲートウェイが当該ショートメッセージフィルタリングルールサーバに、受信側加入者識別子を含むショートメッセージフィルタリングルール要求を送信することによって、受信側のショートメッセージフィルタリングルールを得ることを特徴とする請求項4に記載のショートメッセージサービスの実現方法。
【請求項６】
前記ショートメッセージフィルタリングルールサーバは、独立又は非独立の物理デバイスであり、
前記非独立の物理デバイスであるショートメッセージフィルタリングルールサーバは、ネットワーク側の任意の物理エンティティの一部分の機能とされることを特徴とする請求項4又は請求項5に記載のショートメッセージサービスの実現方法。
【請求項７】
ショートメッセージフィルタリングルールがSCPに設定され、
前記受信側のショートメッセージフィルタリングルールにより、当該ショートメッセージをフィルタリングする必要があるかどうかを判断することは、
送信側番号と受信側番号を含むショートメッセージセンターからのショートメッセージが受信された後、モバイルスイッチングセンター（ＭＳＣ）又はサービスGPRSサポートノード（ＳＧＳＮ）に保存されている加入者CAMEL契約情報により、受信側が移動端末側着信のショートメッセージ（Mobile Terminated Short Message）の契約加入者であるかどうかを判断して、受信側が移動端末側着信のショートメッセージの契約加入者でない場合、本プロセスを終了し、受信側が移動端末側着信のショートメッセージの契約加入者である場合、ショートメッセージの送信側と受信側の加入者番号を含む、ショートメッセージ受信の関連イベント通知をSCPに送信するステップと、
SCPに保存されている、前記受信側に対応するショートメッセージフィルタリングルールにより、当該ショートメッセージをフィルタリングする必要があるかどうかを判断して、必要な場合、解放コマンドを出して、MSC又はSGSNによりショートメッセージの送信プロセスが終了され、必要がない場合、継続のコマンドを出して、MSC又はSGSNにより正常なショートメッセージ送信プロセスが継続されるステップとを含むことを特徴とする請求項4に記載のショートメッセージサービスの実現方法。
【請求項８】
前記ショートメッセージ受信の関連イベント通知をSCPに送信することは、加入者のMT-SMS-CSI契約情報に基づいて、Int_DP_SMS_Delivery_RequestメッセージをSCPに送信することを含むことを特徴とする請求項7に記載のショートメッセージサービスの実現方法。
【請求項９】
前記解放コマンドは、Int_Release_SMSコマンドであり、前記継続のコマンドは、Int_Continue_SMSコマンドであることを特徴とする請求項7に記載のショートメッセージサービスの実現方法。
【請求項１０】
ショートメッセージの送信結果に基づいて、ショートメッセージセンターにMAP-MT-FORWARD-SHORT-MESSAGE応答を返信して、ショートメッセージの送信成功又は失敗を通知するステップと、
ショートメッセージセンターがショートメッセージの成功又は失敗の応答に基づいて、当該ショートメッセージの保存又は削除を決めるステップとを更に含むことを特徴とする請求項7に記載のショートメッセージサービスの実現方法。
【手続補正２】
【補正対象書類名】明細書
【補正対象項目名】全文
【補正方法】変更
【補正の内容】
【発明の詳細な説明】
【技術分野】
【０００１】
本発明は移動通信技術分野に関し、特にショートメッセージサービスの実現方法に関する。
【背景技術】
【０００２】
ここ数年来、移動通信の発展に従って、モバイル付加価値サービス（value-added mobile services）、特にショートメッセージサービスが世界中で巨大な発展を遂げてきた。その一方で、違法及び迷惑ショートメッセージが日に日に運営側と加入者側の関心をひく問題となっている。違法及び迷惑ショートメッセージの出所として、ある組織の違法な言論、ウェブサイトの大量の広告などが含まれる。加入者自身にとっては、受信したくないショートメッセージは迷惑ショートメッセージに属する。
【０００３】
インターネット（Internet）上の迷惑メールと同様に、目下、迷惑ショートメッセージが日に日に広がっていることは、加入者に大きい悩みをもたらすだけではなく、大量の移動通信ネットワーク資源も消耗していて、加入者の正常な通信にも一定の影響を与える。例えば、迷惑ショートメッセージにより、ネットワークの輻輳（congestion）又は機能停止（breakdown）が引き起こされる可能性がある。そのため、違法及び迷惑ショートメッセージの拡散を防ぐことは、クライアントのサービス満足度を高めることができるだけでなく、ネットワークサービスの発展にも有利であって、移動事業者にとって、目下重点的に解決することが必要な問題となっている。
【０００４】
現在、違法及び迷惑ショートメッセージに対して、一部の国の事業者は既にいくつかの制御手段を取っている。これらの制御手段は主にショートメッセージの内容に対してフィルタリング（filtering）を行う方式により実現され、ショートメッセージセンター又はショートメッセージゲートウェイにて、フィルタリングする必要のある情報に対してコンテンツマッチングを行うことによって、移動通信事業者のために不健全又は違法のショートメッセージをフィルタリングして、コンテンツプロバイダーと携帯電話からのショートメッセージ内容の健全性と合法性を確保し、これによって加入者の利益を保護している。
【０００５】
現在のショートメッセージのフィルタリングメカニズムは、主にショートメッセージ内の違法又は機密の内容に対してフィルタリングを行うこと、或いはメッセージ送信側の合法性に対して判断を行い、例えば、あるウェブサイトが合法的に登録されているかどうかに対して判断を行って、メッセージのフィルタリングを統一的に行うことである。このようなフィルタリングメカニズムは、各加入者個別のニーズを考慮していない。常に、異なる加入者は異なるメッセージ送信側からのメッセージをフィルタリングする場合がある。例えば、加入者Aは、ウェブサイトAと加入者Cからのショートメッセージをフィルタリングすることを希望し、加入者Bは、ウェブサイトAと全ての移動加入者からのショートメッセージだけを受信し、他の全てのウェブサイトからのショートメッセージをフィルタリングすることを希望する。同時に、異なる加入者は異なる内容のメッセージをフィルタリングすることを希望する。例えば、加入者Aは“大プレゼント”の内容を含む全てのショートメッセージをフィルタリングすることを希望し、加入者Bは“広告”の内容を含む全てのショートメッセージをフィルタリングすることを希望する。
【発明の開示】
【発明が解決しようとする課題】
【０００６】
本発明は上記に鑑みてなされたものであって、各加入者個別のニーズを満足できるように加入者が当該加入者自身の意志に従ってショートメッセージをフィルタリングすることができる、ショートメッセージサービスの実現方法を提供することを目的とする。
【課題を解決するための手段】
【０００７】
上記目的を達成するため、本発明はショートメッセージサービスの実現方法を提供し、当該方法は以下の内容を含む。
【０００８】
ショートメッセージサービスの実現方法であって、
ショートメッセージフィルタリングルールをネットワーク側に設定するステップと、
ネットワーク側から受信側にショートメッセージを送信する前に、ネットワーク側が、受信側のショートメッセージフィルタリングルールに従って当該ショートメッセージをフィルタリングする必要があるかどうかを判断して、必要な場合、当該ショートメッセージを送信せず、必要がない場合、受信側に当該ショートメッセージを送信するステップとを含む。
【発明の効果】
【０００９】
本発明の方法では、加入者がネットワーク側でショートメッセージフィルタリングルールを自分で定義することができ、ネットワーク側が受信側にショートメッセージを送信する前に、受信側のショートメッセージフィルタリングルールに基づいて、ショートメッセージをフィルタリングすることができることにより、ショートメッセージサービスを実現している。本発明における方法はただ従来のネットワークに、ショートメッセージフィルタリングルールサーバの独立デバイス又は相応の機能を追加する必要だけであり、他のネットワークエンティティ、例えば、MSC、SGSNなどに対する影響はない。このような方式でショートメッセージのフィルタリングを実現することは、事業者がネットワーク内で当該サービスを配置かつ展開することに便利であり、各加入者個別のニーズに従って、ショートメッセージをフィルタリングし、加入者のサービス満足度を高めている。
【発明を実施するための最良の形態】
【００１０】
本発明において、加入者は自体に対応するショートメッセージフィルタリングルールをネットワーク側に設定し、ネットワーク側は受信側にショートメッセージを送信する前に、受信側のショートメッセージフィルタリングルールに基づいて、当該ショートメッセージをフィルタリングする必要があるかどうかを判断して、必要な場合、ネットワーク側は当該ショートメッセージを送信せず、必要がない場合、ネットワーク側は受信側に当該ショートメッセージを送信することである。
【００１１】
図1に示すように、本発明を実現するプロセスは以下の通りである。
【００１２】
ステップ101で、加入者はネットワーク側に自体に対応するショートメッセージフィルタリングルールを設定する。
【００１３】
ショートメッセージフィルタリングルールはショートメッセージフィルタリングルールサーバ、或いはSCPに設定されることができる。ショートメッセージフィルタリングルールサーバは独立の物理エンティティであることができ、又は非独立の物理エンティティとして単独に存在することもできる。且つ、加入者はネットワーク（ウェブ）方式、無線アプリケーションプロトコル（WAP）方式、非構造付加サービス・データ（USSD）方式、事業者クライアントセンター方式又はインテリジェントネットワーク方式などによって、ネットワーク側にショートメッセージフィルタリングルールを設定することができる。
【００１４】
そして、実際の応用プロセス中で、各加入者は全て、上記各種の方式によって、自体に対応するショートメッセージフィルタリングルールをネットワーク側に設定、更新又は修正することができる。
【００１５】
ステップ102で、ネットワーク側から受信側にショートメッセージを送信する前に、ネットワーク側は受信側のショートメッセージフィルタリングルールに基づいて、当該ショートメッセージをフィルタリングする必要があるかどうかを判断して、必要な場合、ステップ104に進み、必要がない場合、ステップ103に進む。
【００１６】
ステップ103で、ネットワークから受信側に当該ショートメッセージを送信する。
【００１７】
ステップ104で、ネットワーク側は当該ショートメッセージをフィルタリングし、即ち、当該ショートメッセージを送信しない。
【００１８】
以下、ショートメッセージフィルタリングルールをショートメッセージフィルタリングルールサーバに設定して、ショートメッセージサービスを実現する方法を実施例１とし、ショートメッセージフィルタリングルールをSCPに設定することを実施例２として、本発明の技術方案を詳しく説明する。
【００１９】
次は具体的な実施例１をあげて、本発明の技術方案を詳しく説明する。
【実施例１】
【００２０】
本実施例では、移動加入者のカスタマイズしたショートメッセージのフィルタリング機能をショートメッセージセンター又はショートメッセージゲートウェイにより実現していて、従来のネットワークにショートメッセージフィルタリングルールサーバの物理エンティティ、又は機能モジュールを追加し、ショートメッセージセンター又はショートメッセージゲートウェイの機能を拡張することだけが必要であり、他の全てのネットワークエンティティ、例えばMSC、SGSNなどに対しては何の影響もない。
【００２１】
本実施例におけるショートメッセージフィルタリングルールは、指定の相手からのショートメッセージに対してフィルタリングを行い、又は特定の内容を含むショートメッセージに対してフィルタリングを行うことである。加入者は多種の方式によってショートメッセージフィルタリングルールを自分で定義し、維持し、多種の方式によって、ショートメッセージフィルタリングルールサーバに伝送かつ保存することができる。
【００２２】
図2に示すように、本実施例において本発明の方法を実現するステップは以下の通りである。
【００２３】
ステップ201で、加入者は多種の方式によって、ショートメッセージフィルタリングルールを自分で定義し、維持する。
【００２４】
ステップ202で、ショートメッセージフィルタリングルールサーバに、加入者のカスタマイズしたショートメッセージフィルタリングルールと加入者識別子との対応関係を保存する。
【００２５】
ステップ203で、ショートメッセージセンター又はショートメッセージゲートウェイは受信側にショートメッセージを送信する前に、ショートメッセージフィルタリングルールサーバから、ショートメッセージ受信側のショートメッセージフィルタリングルールを得る。
【００２６】
ステップ204で、ショートメッセージセンター又はショートメッセージゲートウェイはショートメッセージ受信側のショートメッセージフィルタリングルールに基づいて、あるショートメッセージをフィルタリングするかどうかを判断して、フィルタリングするなら、ステップ205に進み、フィルタリングしない場合、ステップ206に進む。
【００２７】
ステップ205で、ショートメッセージセンター又はショートメッセージゲートウェイは当該ショートメッセージの送信を終了する。
【００２８】
ステップ206、ショートメッセージセンター又はショートメッセージゲートウェイからショートメッセージ受信側に当該ショートメッセージを送信し、プロセスを終了する。
【００２９】
本実施例におけるショートメッセージフィルタリングルールには下記二種類のタイプが含まれることができる。
【００３０】
タイプ１は、一部のショートメッセージ送信側からのショートメッセージに対して、禁止又は許可を行うルールであり、即ち、ショートメッセージ送信側を制限することである。このようなフィルタリングルールは長さ基準と番号基準を含み、これら二種類の基準は同時に実施可能である。長さ基準は、当該長さに符合する送信側番号に対して禁止又は許可を行うことであり、番号基準は、当該番号に符合する送信側番号に対して禁止又は許可を行うことである。
【００３１】
番号基準における番号に対して最大先頭番号のマッチング（最大数の先頭マッチング：A maximum number head matching mode）方式を使うことができる。番号基準での番号はワイルドカード（wildcard）を含むことができる。ここで二種類のワイルドカードがあり、即ち、単一番号のワイルドカードと複数番号のワイルドカードである。単一番号のワイルドカードとは当該ワイルドカードが一桁の番号だけを表すことであり、複数番号のワイルドカードとは当該ワイルドカードが任意の複数の番号を表すことである。
【００３２】
次に、ショートメッセージフィルタリングルールに対して例をあげて説明する。
【００３３】
長さ基準で、番号の長さ４、禁止；番号の長さ11、許可。詳しく説明すると、当該ルールは番号の長さが4である送信側を禁止し、番号の長さが11である送信側を許可することである。例えば、現在の付加価値サービスプロバイダーのショートメッセージ送信側の番号が４桁の長さ、例えば8888であり、普通の移動加入者の番号の長さが11であるとき、サービスプロバイダーから送信されるショートメッセージを禁止し、普通の移動加入者から送信されるショートメッセージを許可することである。
【００３４】
番号基準で、仮に*で単一ワイルドカードを表し、#で複数のワイルドカードを表すとし、133、禁止；13312312312、許可；133*11*23*3、許可；139#87、禁止。当該ルールは先頭番号が133である全ての加入者からのショートメッセージを禁止し、番号が13312312312である加入者からのショートメッセージを許可し、番号が133*11*23*3（*は任意の一桁の数字を表す）である全ての加入者からのショートメッセージを許可し、番号が139#87（#は任意の複数の数字を表す）である全ての加入者からのショートメッセージを禁止することである。
【００３５】
タイプ２は、一部の特定の内容を含むショートメッセージに禁止又は許可を行うルールである。このようなフィルタリングルールでの指定内容にはワイルドカードが含まれることができ、ワイルドカードは任意の複数の文字（character）を表す。例えば、広告、禁止；賞*プレゼント、禁止。これは“広告”または“賞*プレゼント”の内容を含むショートメッセージを禁止することを表す。
【００３６】
上記加入者がショートメッセージフィルタリングルールを自分で定義し、維持することは、多種の方式によって実現できる。例えば、
（１）ウェブ方式で、加入者はウェブを通じて、ショートメッセージフィルタリングルールをカスタマイズかつ維持し、コンピューター又は携帯電話によってみな操作できる。
（２）WAP方式で、加入者は携帯電話によって、WAPサーバに登録し、ショートメッセージフィルタリングルールをカスタマイズかつ維持する。
（３）USSD方式で、加入者は携帯電話を使って、USSDデータ方式によって、サーバと相互接続を行い、ショートメッセージフィルタリングルールをカスタマイズかつ維持する。
（４）事業者クライアントセンター方式で、加入者は事業者クライアントセンターと連絡し、音声又は他の方式によって、ショートメッセージフィルタリングルールをカスタマイズかつ維持する。
（５）インテリジェントネットワーク方式で、加入者はあるインテリジェントアクセス番号をダイヤルし、相応の音声提示により設定を行うことによって、ショートメッセージフィルタリングルールをカスタマイズかつ維持する。
【００３７】
もちろん、本実施例では、加入者がショートメッセージフィルタリングルールを自分で定義することに関する他の方式を制限しない。ショートメッセージフィルタリングルールを維持する方式には、ショートメッセージフィルタリングルールに対する修正、部分削除、全部削除、アクティブ、非アクティブ（deactivating）などの多種の操作が含まれるが、これらの操作に限らない。ショートメッセージフィルタリングルールを自分で定義し、維持することで具体的にどんな方式を採用するかについては、ここで制限せずに、事業者によって決められることができる。
【００３８】
ショートメッセージフィルタリングルールサーバはネットワークにおいて、独立の物理エンティティであることができ、他のサービスサーバ内の一つの機能モジュールとすることもできる。ネットワークにおいて、一つ又は複数のショートメッセージフィルタリングルールサーバを備えることができ、加入者のカスタマイズしたショートメッセージフィルタリングルールは、一定の分布規律により、あるショートメッセージフィルタリングルールサーバに保存されることができる。例えば、加入者識別子又は加入者のホームネットワークにより、どのサーバに保存するかを決定することである。ショートメッセージフィルタリングルールサーバのネットワーク形態又は選択ルールについては、本発明で制限せずに、事業者によって決められることができる。
【００３９】
且つ、ショートメッセージセンター又はショートメッセージゲートウェイはショートメッセージ受信側にショートメッセージを送信する前に、当該ショートメッセージ受信側のカスタマイズしたショートメッセージフィルタリングルールを得る必要がある。ショートメッセージフィルタリングルールがショートメッセージセンター又はショートメッセージゲートウェイに保存された場合、信号方式相互接続インターフェースを必要しない。ショートメッセージフィルタリングルールが、ショートメッセージフィルタリングルールサーバに保存された場合、ショートメッセージセンター又はショートメッセージゲートウェイとショートメッセージフィルタリングルールサーバの間では一定の信号方式相互接続を必要し、ショートメッセージセンター又はショートメッセージゲートウェイは一定の分布規律、例えば受信側の加入者識別子又は加入者のホームネットワークにより、あるショートメッセージフィルタリングルールサーバに要求を送信するかを決定し、これにより、ショートメッセージ受信側のショートメッセージフィルタリングルールを得る。
【００４０】
本実施例において、ショートメッセージセンター又はショートメッセージゲートウェイとショートメッセージフィルタリングルールサーバの間で、どのような信号方式インターフェースプロトコルを採用するか対しては具体的に規定せずに、事業者によって決められる。対応するプロセスは図3に示すように、具体的に以下の通りである。
【００４１】
ステップ301で、ショートメッセージセンター又はショートメッセージゲートウェイは一定の分布規律により、あるショートメッセージフィルタリングルールサーバを選択する。
【００４２】
ステップ302で、ショートメッセージセンター又はショートメッセージゲートウェイから当該ショートメッセージフィルタリングルールサーバに、ショートメッセージフィルタリングルールの要求を送信し、要求メッセージにはショートメッセージ受信側の加入者識別子が付けられている。
【００４３】
ステップ303で、要求されたショートメッセージフィルタリングルールはショートメッセージフィルタリングルールサーバからショートメッセージセンター又はショートメッセージゲートウェイに返信される。
【００４４】
もちろん、実際の操作プロセスにおいて、加入者のカスタマイズしたショートメッセージフィルタリングルールはそんなに完璧ではない可能性があり、このような状況では、ショートメッセージセンター又はショートメッセージゲートウェイに、ショートメッセージのデフォルト処理方式を静的に構成することができる。即ち、ショートメッセージセンター又はショートメッセージゲートウェイがショートメッセージフィルタリングルールサーバから、対応のショートメッセージフィルタリングルールを見つけなかった後、ショートメッセージフィルタリングルールの範囲に属さないこれらのショートメッセージに対して、禁止又は許可である二種類の処理方式が可能であり、事業者により実際の需要に応じて設定され、一般的には許可される。
【００４５】
例えば、加入者Aのカスタマイズしたショートメッセージフィルタリングルールは、加入者BとDからのショートメッセージを禁止し、内容に“広告”を含むメッセージを禁止することである。それでは、加入者Cからの、“広告”の内容を含まないショートメッセージに対しては、応用可能なフィルタリングルールがなく、ショートメッセージセンター又はショートメッセージゲートウェイでのデフォルト処理方式が許可である場合、当該ショートメッセージの送信が許可されることになる。
【００４６】
ショートメッセージセンター又はショートメッセージゲートウェイに禁止されるショートメッセージに対しては、ショートメッセージ受信側に送信しないようになり、事業者の実際の需要、例えば、課金、統計などの需要に基づいて、禁止されたショートメッセージに対して、ショートメッセージセンター又はショートメッセージゲートウェイが数量、時間、送信側などにより統計を行うことができ、またショートメッセージ送信側に提示を送って、当該ショートメッセージの送信が禁止されたことを表すことができる。
【００４７】
本実施例の方法を利用することにより、加入者がショートメッセージフィルタリングルールサーバに、ショートメッセージフィルタリングルールを定義することができ、ショートメッセージセンター又はショートメッセージゲートウェイを通じて、移動加入者のカスタマイズしたショートメッセージフィルタリングの機能を実現することができる。本発明の方法は、既存のネットワークにショートメッセージフィルタリングルールサーバの独立デバイス又は相応の機能を追加し、またショートメッセージセンター又はショートメッセージゲートウェイの機能を拡張することだけが必要であり、他の全てのネットワークエンティティ、例えばMSC、SGSNなどに対しては何の影響もない。このような方式でショートメッセージのフィルタリングを実現することは、事業者がネットワーク内で当該サービスを配置かつ展開することに便利になり、各加入者個別のニーズに応じて、ショートメッセージをフィルタリングし、加入者のサービス満足度を高めている。
【００４８】
次に、具体的な実施例２をあげて、本発明の技術方案を詳しく説明する。
【実施例２】
【００４９】
本実施例では、指定の送信側のショートメッセージに対するフィルタリングに関するショートメッセージフィルタリングルールを加入者によりSCPに設定する。ショートメッセージセンターからの送信側番号と受信側番号を含むショートメッセージが受信側の位置するMSC又はSGSNに受信された後、移動端末側着信のショートメッセージ（Mobile Terminated Short Message）の契約内容が受信側加入者のCAMEL（Customized Application for Mobile network Enhanced Logic）契約情報に含まれているかどうかをMSC又はSGSNにより判断する。含まれている場合、MSC又はSGSNからショートメッセージ受信の関連イベント通知をSCPに送信し、通知にはショートメッセージ送信側と受信側の加入者番号が含まれる。SCPは自体に保存されている、当該受信側に対応するショートメッセージフィルタリングルールに基づいて、当該ショートメッセージをフィルタリングする必要があるかどうかを判断する。必要な場合、SCPから解放コマンドを出し、MSC又はSGSNはショートメッセージの送信プロセスを終了し、必要がない場合、SCPから継続のコマンドを出し、MSC又はSGSNは正常なショートメッセージ送信プロセスを継続する。
【００５０】
本実施例におけるショートメッセージフィルタリングルールは、指定の相手からのショートメッセージに対してフィルタリングを行うことであり、ショートメッセージの内容に対してフィルタリングを行うことは含まない。且つ、本発明ではCAMELにより、加入者のカスタマイズしたショートメッセージフィルタリングを実現している。従って、ショートメッセージフィルタリングサービスを申し込む加入者はまずCAMEL加入者である必要がある。即ち、移動端末側着信のショートメッセージのCAMEL契約情報（MT-SMS-CSI）を有する必要がある。
【００５１】
図4は本発明に係るショートメッセージサービスを実現する実施例２のフローチャートである。図4に示すように、本実施例においてショートメッセージサービスを実現する具体的なステップは以下の通りである。
【００５２】
ステップ401で、加入者は多種の方式によって、ショートメッセージフィルタリングルールを自分で定義し、維持する。
【００５３】
ステップ402で、加入者のカスタマイズしたショートメッセージフィルタリングルールは多種の方式によってSCPに伝送され、SCPに保存される。
【００５４】
ステップ403で、ショートメッセージセンターからショートメッセージをMSC又はSGSNまでに送信し、MSC又はSGSNは加入者CAMEL契約情報に基づいて、インテリジェントサービスをトリガーする必要があるかどうかを判断して、必要な場合、ステップ404に進み、必要がない場合、もとのショートメッセージプロセスに従って処理し、本プロセスを終了する。ここで、ショートメッセージフィルタリングにとって、インテリジェントサービスをトリガーする必要があるかどうかの判断は、主に移動端末側着信のショートメッセージ（Mobile Terminated Short Message）の契約内容を有するかどうかによって決定される。
【００５５】
ステップ404で、MSC又はSGSNからSCPに、ショートメッセージ受信の関連イベント通知を送信し、SCPの指示を待つ。当該イベント通知にはショートメッセージ送信側と受信側の加入者識別子が含まれる。
【００５６】
ステップ405で、SCPは保存されている、ショートメッセージ受信側に対応するショートメッセージフィルタリングルールに基づいて、当該ショートメッセージをフィルタリングする必要があるかどうかを判断して、必要な場合、SCPからMSC又はSGSNに解放コマンドを出し、MSC又はSGSNはショートメッセージの送信プロセスを終了し、必要がない場合、SCPからMSC又はSGSNに継続送信のコマンドを出し、MSC又はSGSNは正常なショートメッセージ送信プロセスを継続する。
【００５７】
ステップ406で、MSC又はSGSNはSCPからの継続送信又は解放コマンドにより、加入者にショートメッセージを送信すること、又は加入者へのショートメッセージの送信を終了することを実行し、そしてショートメッセージセンターにショートメッセージの送信成功又は失敗の応答を送信する。
【００５８】
ステップ407で、ショートメッセージセンターはMSC又はSGSNからの成功又は失敗の応答に基づいて、当該ショートメッセージの保存又は削除を決めた後、本プロセスを終了する。
【００５９】
本実施例におけるショートメッセージフィルタリングルールには、実施例１の場合と同様に、長さ基準と番号基準が含まれ、これらは同時に実施可能である。
【００６０】
加入者がショートメッセージフィルタリングルールを自分で定義し、維持することは、多種の方式によって実現できる。例えば、
（１）ウェブ方式で、加入者はウェブを通じて、ショートメッセージフィルタリングルールをカスタマイズかつ維持し、コンピューター又は携帯電話によってみな操作できる。（２）WAP方式で、加入者は携帯電話によって、WAPサーバに登録し、ショートメッセージフィルタリングルールをカスタマイズかつ維持する。（３）USSD方式で、加入者は携帯電話を使って、USSDデータ方式によって、サーバと相互接続を行い、ショートメッセージフィルタリングルールをカスタマイズかつ維持する。（４）事業者クライアントセンター方式で、加入者は事業者クライアントセンターと連絡し、音声又は他の方式によって、ショートメッセージフィルタリングルールをカスタマイズかつ維持する。（５）インテリジェントネットワーク方式で、加入者はあるインテリジェントアクセス番号をダイヤルし、相応の音声指示により設定を行うことによって、ショートメッセージフィルタリングルールをカスタマイズかつ維持する。
【００６１】
これに対応して、SCPが加入者のカスタマイズしたショートメッセージフィルタリングルールを得ることでも、多種の方式がある。例えば、ウェブサーバ又はWAPサーバがSCPと通信を行って、速やかに、加入者のカスタマイズしたショートメッセージフィルタリングルールを主動的にSCPに送信すること、事業者クライアントセンターがSCPと通信して、速やかに、加入者のカスタマイズしたショートメッセージフィルタリングルールをアップロードすること、加入者がSCPと直接に相互接続して、ショートメッセージフィルタリングルールをカスタマイズかつ維持することなどである。
【００６２】
もちろん、ここでは、加入者がショートメッセージフィルタリングルールを自分で定義する方式、及びSCPが加入者のカスタマイズしたショートメッセージフィルタリングルールを得る方式に対して、制限しない。且つ、ショートメッセージフィルタリングルールの維持方式に、ショートメッセージフィルタリングルールに対する修正、部分削除、全部削除、アクティブ、アクティブ取り消しなど多種の操作が含まれるが、これらの操作とは限らない。ショートメッセージフィルタリングルールを自分で定義し、維持すること、及びSCPが加入者のカスタマイズしたショートメッセージフィルタリングルールを得ることで具体的にどんな方式を採用するかに対しては、事業者が自分で決めることができる。
【００６３】
図5は実施例２のショートメッセージフィルタリング実現のメッセージプロセスにおいて、MSC又はSGSNと、SCPと、ショートメッセージセンター（SMSC）との三つのエンティティ間の相互接続を示すフローチャートであり、ステップは以下の通りである。
【００６４】
ステップ501で、ショートメッセージセンター（SMSC）からMSC又はSGSNにMAP-MT-FORWARD-SHORT-MESSAGE要求を送信し、その中には、受信者識別子と送信者識別子の付けられたショートメッセージが含まれる。
【００６５】
ステップ502で、MSC又はSGSNは加入者CAMEL契約情報でのMT-SMS-CSI契約内容により、受信側が移動端末側着信のショートメッセージ（Mobile Terminated Short Message）の契約加入者であるかどうかを判断して、契約加入者である場合、SCPにショートメッセージの伝送要求（Int_DP_SMS_Delivery_Request）メッセージを送信し、このメッセージには受信者識別子と送信者識別子が含まれ、そしてSCPのコマンドを待つ。
【００６６】
ステップ503で、SCPはショートメッセージの受信加入者のカスタマイズしたショートメッセージフィルタリングルールにより分析を行い、当該メッセージに対してフィルタリングを行う必要があるかどうかを判断し、それから判断結果に基づいて、ショートメッセージの継続送信コマンド（Int_Continue_SMS）とショートメッセージの解放コマンド（Int_Release_SMS）をMSC又はSGSNに出す。
【００６７】
ステップ504で、MSC又はSGSNがSCPのコマンドに従って、ショートメッセージを送信、又はショートメッセージの送信を終了し、実際のショートメッセージ送信結果に基づいて、SMSCにMAP-MT-FORWARD-SHORT-MESSAGE応答を返信して、ショートメッセージの送信成功又は失敗を通知する。
【００６８】
ステップ503において、ショートメッセージの送信を継続するようにSCPにより指示されたら、MSC又はSGSNは実際の送信結果に基づいて、送信成功又は失敗の応答をショートメッセージセンターに返信する。ショートメッセージを解放するようにSCPによりコマンドされたら、MSC又はSGSNは当該コマンドを受信した後、当該ショートメッセージ送信プロセスを終了し、そして送信終了の応答をショートメッセージセンターに返信する。
【００６９】
ここで、送信終了の応答はショートメッセージ送信失敗応答の送信によって実現されることができる。即ち、失敗応答で、加入者エラー（User error）を適当なパラメータ値、例えば、ショートメッセージの伝送失敗（SM Delivery Failure）又は他の値に設定することである。ショートメッセージセンターは当該ショートメッセージを受信した後、当該ショートメッセージを削除する。ショートメッセージセンターがショートメッセージ送信失敗応答を受信した後、当該ショートメッセージを削除することができず、再度送信を選択する場合、当該ショートメッセージがMSC又はSGSNに再び受信された後、MSC又はSGSNは直接ショートメッセージの送信プロセスを終了し、ショートメッセージ送信成功の応答をショートメッセージセンターに送信し、これにより、ショートメッセージセンターにて当該ショートメッセージを再度送信しないようにする。MSC又はSGSNが事前に、ショートメッセージセンターがショートメッセージ送信失敗の応答を受信した後で当該ショートメッセージに対して削除することができないことを知っている場合、MSC又はSGSNはSCPからの解放コマンドを受信した後、ショートメッセージの送信を終了し、ショートメッセージセンターにショートメッセージ送信成功の応答を送信する。もちろん、MSC又はSGSNがフィルタリングショートメッセージに対する具体的な処理は、ショートメッセージセンターの能力に応じて、柔軟に選択できる。本実施例において、各ネットワークエンティティの間では、全て、移動アプリケーションプロトコル（MAP）とCAMELアプリケーションプロトコル（CAP）などを含む標準的移動ネットワークインターフェースプロトコルによって、特定ショートメッセージ送信側のショートメッセージに対するフィルタリングを実現できる。もちろん、ネットワークの配置において、ショートメッセージセンターがMSC又はSGSNとのインターフェースを直接に提供していない可能性がある。即ち、ショートメッセージセンターとMSC又はSGSNの間では、ショートメッセージインターワーキングMSC(即ちIW-MSC)経由で、接続されている可能性がある。従って、本発明におけるショートメッセージセンターは、ショートメッセージインターワーキングMSCであることもできる。
【００７０】
本実施例の方法を利用することにより、加入者が、指定の送信側からのショートメッセージに対するフィルタリングのショートメッセージフィルタリングルールを設定でき、設定したショートメッセージフィルタリングルールをサービス制御点（ＳＣＰ）に保存することができ、移動インテリジェントネットワークにて移動加入者のカスタマイズしたショートメッセージフィルタリング機能を実現できる。且つ、各ネットワークエンティティの間では、全て標準的移動ネットワークインターフェースプロトコルにより、特定ショートメッセージ送信側からのショートメッセージに対するフィルタリングを実現できる。このような従来の標準化インターフェースプロトコルを利用して、ショートメッセージのフィルタを実現することは、事業者がネットワークに当該サービスを配置かつ展開することに便利になり、加入者のサービスの満足度を高め、且つ簡単に実現できる。
【００７１】
要するに、以上述べたのは本発明の好ましい実施例に過ぎず、本発明の保護範囲を限定するものではない。
【図面の簡単な説明】
【００７２】
【図１】本発明に係る実現方法のフローチャートである。
【図２】本発明に係るショートメッセージサービスを実現する実施例１のフローチャートである。
【図３】本発明において、ショートメッセージセンター又はショートメッセージゲートウェイとショートメッセージフィルタリングルールサーバ間相互接続のフローチャートである。
【図４】本発明において、ショートメッセージサービスを実現する具体的な実施例２のフローチャートである。
【図５】本発明において、実施例２におけるショートメッセージフィルタリングの実現プロセスで、MSC又はSGSNと、SCPと、SMSCとの三つのエンティティ間相互接続のフローチャートである。
【国際調査報告】
2008507867.tif 000008
2008507867.tif 000009
2008507867.tif 000010
2008507867.tif 000011